(57)【要約】【課題】左右の竪形ガラリの連結部のシール施工性が良く、方立の前方にもガラリ羽根と略同一形状の竪枠が配置できる外観の良好なガラリ構造体を提供する。【解決手段】本発明のガラリ構造体１は、竪形ガラリ５、６を構成する上下枠９、１１の方立側端面同士を方立３の室外側面の室外側で対向配置し、左右の上枠９、９の端面間、左右の下枠１１、１１の端面間、左右の上枠９と方立３の間、及び左右の下枠１１と方立３の間にシール材を充填し、左右の竪形ガラリの上下枠９、１１は躯体に固定してあり、左右の竪形ガラリの方立側竪枠１５はガラリ羽根１７と略同一の横断面部分を有し且つ左右方向に移動自在に上下枠間に配置して室内側から室外側に挿通するネジ２８で方立３に固定してある。【選択図】　　　図１
2004068248.tif 000002
【特許請求の範囲】
【請求項１】
方立と、方立の左右に配置した竪形ガラリとを備え、左右の竪形ガラリは、竪形ガラリを構成する上下枠の方立側端面同士を方立の室外側で対向配置してあり、左右の上枠の端面間、左右の下枠の端面間、左右の上枠と方立の間、及び左右の下枠と方立の間には、シール材が充填してあり、左右の竪形ガラリの上下枠は躯体に固定してあり、左右の竪形ガラリの方立側竪枠はガラリ羽根と略同一の横断面部分を有し且つ左右方向に移動自在に上下枠間に配置して室内側から室外側に挿通するネジで方立に固定してあることを特徴とするガラリ構造体。
【発明の詳細な説明】
【０００１】
【発明の属する技術分野】
本発明は、竪形ガラリ構造体に関する。
【０００２】
【従来の技術】
実用新案登録第３０２４７８３号公報の図４には、方立の左右に竪形ガラリを設けた構成が開示されており、この公報では竪形ガラリの方立側竪枠をそれぞれ対向配置し、左右の方立側竪枠の室内側に方立の室内側部を設け、室外側に方立の室外側部を設け、方立の室内側部と室外側部とを相互にネジで締め付けて、左右の竪形ガラリの方立側竪枠を挟持する構成が開示されている（第１の従来技術）。
また、同公報の図５には、左右の竪形ガラリの連結部分をガラリ羽根と同じ形状にすることが開示されている（第２の従来技術）。
【０００３】
【発明が解決しようとする課題】
しかし、上述の第１の従来技術では、左右の竪形ガラリを連結する方立が室内側及び室外側に露出するので、連結部の外観上の整合性が劣るという問題がある。
また、左右の竪形ガラリの竪枠と方立とをこれらの上下方向に沿って嵌合により固定しているので、シールを施す場合には、方立の室内側と室外側との両面において且つ上下方向全体に亘ってシールが必要になりシール施工性に劣るという問題がある。
上述した第２の従来技術では、左右の竪形ガラリにおける左右の上枠同士、左右の下枠同士の固定方法や、左右の竪形ガラリの躯体への固定方法について不明であり、施工できない。
そこで、本発明は、左右の竪形ガラリの連結部のシール施工性が良く、方立の室外側にもガラリ羽根と略同一形状の竪枠が配置できる外観の良好なガラリ構造体の提供を目的とする。
【０００４】
【課題を解決するための手段】
請求項１に記載の発明は、方立と、方立の左右に配置した竪形ガラリとを備え、左右の竪形ガラリは、竪形ガラリを構成する上下枠の方立側端面同士を方立の室外側で対向配置してあり、左右の上枠の端面間、左右の下枠の端面間、左右の上枠と方立の間、及び左右の下枠と方立の間には、シール材が充填してあり、左右の竪形ガラリの上下枠は躯体に固定してあり、左右の竪形ガラリの方立側竪枠はガラリ羽根と略同一の横断面部分を有し且つ左右方向に移動自在に上下枠間に配置して室内側から室外側に挿通するネジで方立に固定してあることを特徴とする。
【０００５】
この請求項１に記載の発明では、ガラリ構造体の施工は、方立の室外側に左右の竪形ガラリを配置し、左右の竪形ガラリの上下枠をそれぞれ方立側端端面同士が対向する位置に設け、各上下枠を躯体に固定する。
室外側から方立が見えないとともに、左右の竪形ガラリの方立側竪枠は、ガラリ羽根と略同一の横断面形状に形成しているから、室外側から見ると左右の竪形ガラリの連結部にもガラリ羽を配置しているように見えるので、左右竪形ガラリの整合性が取れ、外観が良好である。
更に、方立側竪枠は上枠と下枠との間に装着して、左右方向に移動して、左右方向の位置を調整した後、室内側から室外側に挿通するネジで方立に固定する。竪枠の位置調整は、左右にあるガラリ羽根の間隔と略同じ位置になるようにして固定できるので、ガラリ羽根との整合性が取れて、外観がよい。
一方、本発明のガラリ構造体においてシールの施工は、方立の室外側において、左右の上枠の端面間、左右の下枠の端面間、左右の上枠と方立の間、及び左右の下枠と方立の間に、シール材を充填する。本発明では、方立の室外側と室内側との両側で且つ上下方向全体にシール材を充填する必要がなく、方立の室外側のみにおいて上下枠と方立の間及び上下枠の端面間にシール材を充填するだけなので、シール箇所が少なく、シール施工性が良い。
【０００６】
【発明の実施の形態】
以下に、添付図面を参照して本発明の実施の形態を詳細に説明するが、まず、図１〜図３を参照して本発明の第１実施の形態を説明する。図１は第１実施の形態にかかるガラリ構造体の横断面図であり、図２は図１に示すガラリ構造体の縦断面図であり、図３は図１に示すガラリ構造体の正面図である。
第１実施の形態にかかるガラリ構造体１は、方立３と、左右の竪形ガラリ５、６とを備え、左右の竪形ガラリ５、６を左右に連設している。尚、この実施の形態のガラリ構造体１は、各竪形ガラリ５、６は開閉できない固定型のものである。
方立３は、その上下端が固定具８によりそれぞれ躯体７に固定されている。
各竪形ガラリ５、６には、それぞれ、上枠９、下枠１１、左右竪枠１３、１５（躯体側竪枠１３、方立側竪枠１５）で構成された枠１２内に、縦長のガラリ羽根１７が設けられている。左右の竪形ガラリ５、６では、躯体側にある竪枠１３はそれぞれ固定部材１９により躯体７に固定されている。また、各竪形ガラリ５、６の上枠９及び下枠１１も固定部材２０により躯体７に固定されている。
左右の隣合う竪形ガラリ５、６は、方立３の室外側に配置されており、左右の竪形ガラリ５の上枠９及び下枠１１の方立側端面が方立３の室外側面３ａの室外側で対向配置されている。
左右の竪形ガラリ５、６の各ガラリ羽根１７の上端は上枠９に上下方向のネジ２１で固定してあり、ガラリ羽根１７の下端は補助枠２３に上下方向のネジ２５で固定されている。各ガラリ羽根１７の下端を固定した補助枠２３は下枠１１に嵌合固定されている。
各竪形ガラリ５、６の方立側竪枠１５、１５は、それぞれガラリ羽根１７と横断面が略同一の形状になっており、本実施の形態では２つのガラリ羽根１７を左右に繋げた形状になっている。方立側竪枠１５、１５は、上枠９と下枠１１との間に配置しており、上枠９と下枠１１との間において上枠９と下枠１１のそれぞれの方立側端面から隣にあるガラリ羽根１７に当接するまで左右方向に移動自在に配置されており、左右方向における所定の位置に位置決めした後、方立３に固定されている。左右の竪形ガラリ５、６の方立側竪枠１５、１５と方立３との固定は、方立３にネジで固定されたブラケット２７に室内側から室外側に挿通するネジ２８で固定されている。
尚、左右の竪形ガラリ５、６の室内側に取り付けられているのは防鳥網２９である。
次に、ガラリ構造体１における竪形ガラリ５、６同士のシール及び竪形ガラリ５、６と方立３とのシールについて説明する。方立３の室外側では、左右の上枠９、９の端面間３３、左右の下枠１１、１１の端面間３５、左右の上枠９、９と方立３の間３７にそれぞれシール材３９が充填されている。シール材３９は上述の各部を充填すればよく、方立の室外面側と室内面側との２面側で且つ上下方向全体に亘ってシールする必要がないのでシール箇所が少なく、施工現場でのシール施工性が良い。尚、左右の下枠１１、１１の端面間のシール材３９はシーラ付きの塞ぎ材を各下枠端面にネジ止めしている。
【０００７】
次に、本実施の形態にかかるガラリ構造体の施工及び作用について説明する。ガラリ構造体１を施工するときには、まず、方立３の上下端を固定部材８で躯体７に固定する。次に、方立３の室外側において、各竪形ガラリ５、６の下枠１１を固定部材２０で躯体７に固定し、次にガラリ羽根１７を上枠９及び補助枠２３に上下方向のネジ２１、２５で固定したものを、その上枠９を固定部材２０で躯体７に固定するとともに補助枠２３を下枠１１上に配置する。左右の上枠９、９はそれぞれ方立３側の端面同士を対向位置で躯体７に固定し、左右の下枠１１、１１も、方立３側の端面同士を互いに対向する位置で躯体７に固定する。
次に、方立側の竪枠１５、１５を上下枠９、１１間に挿入し、それぞれ隣のガラリ羽根１７に当接する位置まで左右方向に移動し、その当接位置から左右方向に戻して位置を調整する。竪枠１５、１５の位置調整は、ガラリ羽根１７と略同一の形状の竪枠１５が左右のガラリ羽根１７と略同じ間隔を取るように配置し、方立３の室外側でガラリ羽根１７と竪枠１５が同じ間隔を取るように位置決めし、その位置でネジ２８により方立３にブラケット２７を介して固定する。
左右の竪形ガラリ５、６を連結している部分において、竪枠１５がガラリ羽根１７と略同一の形状を有しているとともに、方立３の室外側でガラリ羽根１７と略同じ間隔で並んでいるので、左右の竪形ガラリを連結している繋ぎ目においてもガラリ羽根１７が連続して並んでいるように見え、全体として整合性が取れて、外観が良い。
次に、ガラリ構造体１のシール施工をする。方立３の室外側では、左右の上枠９、９と方立３の間３７、及び左右の下枠１１、１１と方立３の間３９に、シール材３３を充填し、左右の上枠９、９の端面間、左右の下枠１１、１１の端面間にシール材３３を充填する。シール材３３は、方立３の上下方向全体に充填する必要がなく、上下枠９、１１と方立の間及び上下枠９、１１の各端面間に充填するだけなので、シール箇所が少なく、シール施工性が良い。
次に、図４及び図５を参照して、本発明の第２実施の形態を説明するが、以下の説明では、上述した第１実施の形態と同一の作用効果を奏する部分には同一の符号を付することによりその部分の詳細な説明を省略し、第１実施の形態と異なる点を主に説明する。図４は第２実施形態にかかるガラリ構造体の横断面図であり、図５は右側の竪形ガラリ６における縦断面図である。
この第２実施の形態では、左右の竪形ガラリ５、６のうち右の竪形ガラリ６が、開閉自在な扉４１になっている。
方立３には、扉４１側に室内側から室外側に挿通するネジ２８で戸当り柱４２が固定されており、戸当り柱４２には方立側竪枠１５がネジ固定されている。扉４１の上下框４３には、ガラリ羽根１７がボルト４５とナット４７で固定されている。扉４１の吊元側竪框４９は、吊金具５１を介して躯体側竪枠１３に固定されている。
この第２実施の形態では、右側の竪形ガラリ６を開閉自在な扉４１としているとともに、右側の竪形ガラリ６の扉４１が閉じた状態では、右側の竪形ガラリ６の方立側竪枠１５と、扉４１に固定してあるガラリ羽根１７が左側の竪形ガラリ５のガラリ羽根１７と同じように、並んで見え、開閉自在でありながら整合性が取れており、外観がよい。
【０００８】
本発明は、上述した実施の形態に限らず、本発明の要旨を逸脱しない範囲で種々変形可能である。
ガラリ羽根１７の下端は補助下枠２３に固定することに限らず、補助下枠２３を設けないで下枠１１に直接固定するものであってもよい。
防鳥網２９やダクト３１は無くてもよい。
方立側竪枠１５は、その横断面をガラリ羽根２つを連設した形状にすることに限らず、ガラリ羽根１つの形であってもよいし、３つ連設するなど幾つのガラリ羽根を連設した形状のものでも良い。
シール材３９は定形のものであってもよいし、不定形のものであってもよい。
左右の竪形ガラリ５、６は、左右に幾つ連設するものであってもよい。
第２実施の形態において、左右両方の竪形ガラリ５、６ともに扉４１を有する構造としてもよい。
方立側竪枠１５は、上記実施例ではガラリ羽根１７に当接するまで左右方向に移動自在としたが、これに限らず、例えば上下枠９、１１にガラリ羽根１７の左右方向の移動を制限する突部を設けて、この突部に当接するまで方立側竪枠１５を移動自在としてもよい。
【０００９】
【発明の効果】
請求項１に記載の発明によれば、方立の室外側に配置される左右の竪枠は、ガラリ羽根と略同一形状の竪枠としているから、左右の竪形ガラリの連結部では、室外側から方立が見えず且つ室外側から見るとガラリ羽根が左右竪形ガラリと同様に並んで配置されているように見えるので、左右竪形ガラリの整合性がとれて、外観が良い。
ガラリ構造体におけるシール施工は、方立の室外側において、左右の上枠の端面間、左右の下枠の端面間、左右の上枠と方立の間、及び左右の下枠と方立の間にシール材を充填するだけで済み、方立の室内外側の両面で且つ上下全体に亘ってシール材を設ける場合に比較して、シール箇所が少なく、シール施工性が良い。
更に、左右の竪形ガラリの各方立側竪枠は、ガラリ羽根と略同一の形状にしているとともに左右方向に移動自在としているので、左右方向の位置調整が可能であり、左右にあるガラリ羽根と略同一の間隔に設定できるので、左右の竪型ガラリのガラリ羽根と整合性がとれて、外観がよい。
【００１０】
【図面の簡単な説明】
【図１】第１実施の形態にかかるガラリ構造体の横断面図である。
【図２】図１に示すガラリ構造体の縦断面図である。
【図３】図１に示すガラリ構造体の正面図である。
【図４】第２実施形態にかかるガラリ構造体の横断面図である。
【図５】図４に示すガラリ構造体であって、扉を有する竪形ガラリの縦断面図である。
【符号の説明】
１　　ガラリ構造体
３　　方立
５、６　竪形ガラリ
７　　躯体
９　　上枠
１１　下枠
１５　方立側竪枠
１７　ガラリ羽根
２８　ネジ（竪枠を方立に固定するネジ）
【図１】
2004068248.tif 000003
【図２】
2004068248.tif 000004
【図３】
2004068248.tif 000005
【図４】
2004068248.tif 000006
【図５】
2004068248.tif 000007